(57)【要約】      （修正有）【課題】放送受信時及び記録媒体再生時に共通な設定項目を同時に設定する手段を提供する。【解決手段】デジタル放送録画装置は、チューナ部、録画部、ＯＳＤ合成部、メイン制御部を備える。チューナ部は、チューナ部全体を制御するチューナ制御部を備える。録画部は、ＤＶＤに記録し再生する。メイン制御部は、初期設定機能を有する。初期設定機能は、チューナによる放送受信時、ＤＶＤ再生時で共用した項目を設定し、ＯＳＤ表示の設定言語の情報をＯＳＤ合成部に出力する。また、初期設定機能はデジタル放送録画装置本体の各部の設定を受け付ける。メイン制御部は、初期設定機能によりチューナ部に関する設定を受け付けると、チューナ制御部に設定内容のデータを送信する。ＤＶＤ再生時は、制御部が録画部を制御してこれらの項目の設定を反映させる。チューナによる放送受信時は、チューナ制御部がチューナ部を制御してこれらの項目を反映させる。【選択図】図２
2008182632.tif 000002
【特許請求の範囲】
【請求項１】
放送を受信し、受信した映像信号を出力するチューナと、前記チューナを制御するチューナ制御部と、を有するチューナ部と、
記録媒体に記録された映像信号を再生する再生部と、
装置本体の所定の情報を、前記チューナ部または再生部により出力する映像信号と併せて、または単独でＯＳＤ出力するＯＳＤ出力手段と、
装置本体の設定を受け付ける設定受付手段と、
前記チューナ制御部、前記再生部に指示を送るメイン制御部と、を備えた再生装置において、
前記設定受付手段は、前記再生部による前記映像信号の再生時、および前記チューナ部による放送の受信時のいずれにも設定を共用する項目Ｔを前記ＯＳＤ出力させると共に、前記項目Ｔについての設定を受付け、
前記メイン制御部は、前記設定受付手段により前記共通化した項目Ｔについて設定を受け付けた場合に、前記チューナ部の動作の設定を前記チューナ制御部に送信するものであり、
前記設定受付手段は、前記共用する項目Ｔとして、画面表示のアスペクト比の設定を前記再生時および前記受信時とで共用した項目Ｔ１と、前記ＯＳＤ出力手段によりＯＳＤ出力させる言語を前記再生時と前記受信時とで共用した項目Ｔ２をＯＳＤ出力させる再生装置。
【請求項２】
放送を受信し、受信した映像信号を出力するチューナと、前記チューナを制御するチューナ制御部と、を有するチューナ部と、
記録媒体に記録された映像信号を再生する再生部と、
装置本体の所定の情報を、前記チューナ部または再生部により出力する映像信号と併せて、または単独でＯＳＤ出力するＯＳＤ出力手段と、
装置本体の設定を受け付ける設定受付手段と、を備えた再生装置において、
前記設定受付手段は、前記再生部による前記映像信号の再生時、および前記チューナ部による放送の受信時のいずれにも設定を共用する項目Ｔを前記ＯＳＤ出力させると共に、前記共用した項目Ｔについての設定を受付ける再生装置。
【請求項３】
前記チューナ制御部、前記再生部に指示を送るメイン制御部であって、前記設定受付手段により前記項目Ｔについて設定を受け付けた場合に、前記項目Ｔのうちの前記チューナ部の動作の設定を前記チューナ制御部に送信する前記メイン制御部を備えた請求項２に記載の再生装置。
【請求項４】
前記設定受付手段は、前記共用する項目Ｔとして、画面表示のアスペクト比の設定を前記再生時および前記受信時とで共用した項目Ｔ１を前記ＯＳＤ出力させる請求項２、３のいずれかに記載の再生装置。
【請求項５】
前記設定受付手段は、前記共用する項目Ｔとして、前記ＯＳＤ出力手段によりＯＳＤ出力させる言語を前記再生時と前記受信時とで共用した項目Ｔ２をＯＳＤ出力させる請求項２、３のいずれかに記載の再生装置。
【発明の詳細な説明】
【技術分野】
【０００１】
本発明は、チューナから放送を受信する機能を備えた、記録媒体に記録された映像信号を再生する再生装置に関する。
【背景技術】
【０００２】
従来より、放送を受信し、その受信した放送を記録媒体に録画すると共に、記録媒体に記録された映像信号を再生する録画装置が実用化されている。この装置では、放送を受信するチューナを制御するマイコンは、映像信号を再生するための指示を行うマイコンとは別のものが使われていた。また、このような録画装置では、装置本体に設定できる所定の設定項目を画面表示すると共に、その設定項目について選択を受け付けて、この設定に基づいて装置各部の動作を制御する。
【０００３】
また、特許文献１には、マスター側マイクロコンピュータとスレーブ側マイクロコンピュータとで同様の動作を行う装置が開示されている。
【特許文献１】特開２００２−２１５５９６公報
【発明の開示】
【発明が解決しようとする課題】
【０００４】
しかしながら、従来の再生装置では、放送を受信するチューナを制御するマイコンは、映像信号を再生するための指示を行うマイコンとは別のものが使われていたので、放送の受信時、ＤＶＤの再生時について別々に設定項目を設けていた。
【０００５】
例えば、図６に示すように、ＴＶアスペクト比と、ＯＳＤ表示の言語設定、放送の受信時、ＤＶＤの再生時で別々に設定項目を設けていた。
【０００６】
したがって、ユーザとしては、受信時、再生時の両方について同一の設定でよいにもかかわらず、両方とも設定することを要し、わずらわしい作業が必要であった。
【０００７】
そこで、本発明は、装置の設定操作においてユーザの使い勝手を向上させる再生装置を提供することを目的とする。
【課題を解決するための手段】
【０００８】
本発明は、上述の課題を解決するための手段を以下のように構成している。
【０００９】
（１）  放送を受信し、受信した映像信号を出力するチューナと、前記チューナを制御するチューナ制御部と、を有するチューナ部と、
記録媒体に記録された映像信号を再生する再生部と、
装置本体の所定の情報を、前記チューナ部または再生部により出力する映像信号と併せて、または単独でＯＳＤ出力するＯＳＤ出力手段と、
装置本体の設定を受け付ける設定受付手段と、を備えた再生装置において、
前記設定受付手段は、前記再生部による前記映像信号の再生時、および前記チューナ部による放送の受信時のいずれにも設定を共用する項目Ｔを前記ＯＳＤ出力させると共に、前記共用した項目Ｔについての設定を受付ける。
【００１０】
この構成では、設定受付手段により、装置本体の設定を受け付ける際に、前記再生部による前記映像信号の再生時、および前記チューナ部による放送の受信時のいずれにも設定を共用する項目ＴをＯＳＤ出力させる。したがって、ユーザは、項目Ｔの設定を選択すればよく、前記映像信号の再生時、および前記チューナ部による放送の受信時における設定をそれぞれ別々に設定するわずらわしさから開放される。また、設定項目を減らすことができるので、ＲＯＭ容量を減らすことができ、コスト削減になる。
【００１１】
（２）  前記チューナ制御部、前記再生部に指示を送るメイン制御部であって、前記設定受付手段により前記項目Ｔについて設定を受け付けた場合に、前記項目Ｔのうちの前記チューナ部の動作の設定を前記チューナ制御部に送信するメイン制御部を備えた。
【００１２】
この構成では、チューナ部は、前記共通化した項目Ｔについてチューナ部の動作の設定について、メイン制御部から受信する。したがって、メイン制御部と、チューナ制御部の動作が別であっても、チューナが動作して放送を受信している時に、受信した設定に基づいて項目Ｔの設定を反映できる。また、メイン制御部と、チューナ部とを別々に構成しながら、設定を共有することができる。よって、ユーザは、上記別々に設定するわずらわしさから開放される。また、メイン制御部と、チューナ部を別々に設計できるから、機種間で設計を共有しやすい。
【００１３】
（３）  前記設定受付手段は、前記共用する項目Ｔとして、画面表示のアスペクト比の設定を前記再生時および前記受信時とで共用した項目Ｔ１を前記ＯＳＤ出力させてもよい。
【００１４】
この構成では、画面表示のアスペクト比の設定を共用する。これにより、アスペクト比の設定が再生時、放送受信時で共通の設定になり、ユーザは、上記別々に設定するわずらわしさから開放される。
【００１５】
（４）  前記設定受付手段は、前記共用する項目Ｔとして、前記ＯＳＤ出力手段によりＯＳＤ出力させる言語を前記再生時と前記受信時とで共用した項目Ｔ２をＯＳＤ出力させる。
【００１６】
この構成では、ＯＳＤ出力させる言語の設定を共用する。これにより、ＯＳＤ出力させる言語の設定が再生時、放送受信時で共通の設定になり、ユーザは、上記別々に設定するわずらわしさから開放される。
【発明の効果】
【００１７】
本発明によれば、放送受信時、記録媒体の再生時の両方について設定を共用しているので、装置の設定操作においてユーザの使い勝手を向上させることができる。また、設定項目を減らすことができるのでＲＯＭ容量を減らすことができコスト削減になる。
【発明を実施するための最良の形態】
【００１８】
図１を用いて、本実施形態のデジタル放送録画装置（図中１で図示）の構成について説明する。デジタル放送録画装置１は、デジタル放送を受信して、受信した番組を録画する録画装置である。
【００１９】
まず、デジタル放送録画装置１の構成を説明する前提として、物理チャンネル、仮想チャンネルについて説明する。チャンネル各放送局からはそれぞれ１つの所定周波数のＲＦ信号に乗せて１つのＴＳ（トランスポートストリーム）が送信されている。このＲＦ信号のチャンネルを物理チャンネルという。また、このＴＳから複数の放送番組（以下単に番組という。）が多重化されて送信されることが多く、それぞれの番組に対応するチャンネルを仮想チャンネルといい、ユーザがリモコン等で番組を選択するためのチャンネルである。
【００２０】
次に、デジタル放送録画装置１の構成について説明する。デジタル放送録画装置１は、チューナ部２と、録画部３、Ｄ／Ａ変換器６１、６２と、ＯＳＤ（オンスクリーンディスプレイ）合成部５、Ｄ／Ａ変換器６１，６２、メイン制御部７、操作部８を備える。またデジタル放送録画装置１の外部に、表示器１０２を備える。
【００２１】
アンテナ１０１は、電波を受信する。チューナ部２（本発明のチューナ部に相当する。）は、チューナ２０、ＴＶデコーダ２５、チューナ制御部２６を備えている。チューナ２０は、チューナパック２１、地上デジタルモジュール２２、ＴＶデコーダ２５、チューナ制御部２６を備えている。チューナパック２１は、ＩＦフィルタと、ＩＦアンプ等とを備えている。ＩＦフィルタ（intermediate frequency）はメイン制御部７から指示された所定の物理チャンネルの信号を通す。ＩＦアンプは、この信号を増幅する。以上の構成により、チューナ部２１は、チューナ制御部２６により指定されたチャンネルの放送信号を抽出し、地上デジタルモジュール２２に出力する。
【００２２】
地上デジタルモジュール２２は、復調回路、誤り訂正回路、マルチプレクサ、バッファメモリを備えている。復調回路は、入力された放送信号をデジタルデータにＯＦＤＭ（Orthogonal Frequency Division Multiplexing）復調し、誤り訂正回路に出力する。誤り訂正回路は入力されたデジタルデータの誤り訂正をして、ＴＳ（トランスポートストリーム）を出力する。
【００２３】
ＴＳには複数の仮想チャンネルの番組が多重化されて送信されている。また、ＴＳには、仮想チャンネル番号の情報が含まれている。デマルチプレクサは、これらの仮想チャンネルのうちの１チャンネルのパケットを抽出して、抽出したパケットに格納されているデータをバッファメモリに記憶させるとともに、チャンネル番号の情報をメイン制御部７に出力する。以上の構成により、地上デジタルモジュール２２は、ＴＳからメイン制御部７が指定した所定の仮想チャンネルの映像信号、チャンネル番号の情報を出力する。
【００２４】
ＴＶデコーダ２５は、チューナ制御部２６からの指示又は許可を受けてから、チューナ２１内のバッファメモリが記憶するデータを適宜読み出す。そして、読み出したデータから映像データと音声データとを分離する。また、ＴＶデコーダ２５は、映像データと音声データを両データを伸長し、出力する。
【００２５】
また、ＴＶデコーダ２５は、４：３のアスペクト比の表示器１０２に、１６：９の比率のアスペクトの表示ができるよう、受信した放送の映像の上下または左右にレターボックスを付加する機能を有する。
【００２６】
チューナ制御部２６は、チューナ部２内の動作を制御するマイコンで構成し、ＭＰＵ、チューナ制御部２６内のサブプログラムを格納するＲＯＭ（不図示）、チューナ制御部２６の計算結果を一時的に記憶するＲＡＭ（不図示）を備え、デジタル放送録画装置１内の各部を制御する。
【００２７】
記録部３は、エンコーダ３１と、記録/読み出し部３２と、デコーダ３３とを備え、メイン制御部７の図示しない録画予約機能の制御により、地上デジタルモジュール２２の映像信号と音声信号を記録する。エンコーダ３１は、例えばＭＰＥＧ形式にエンコードする。記録/読み出し部３２は、エンコードした映像信号を記録媒体（着脱可能なもののみならず添え付けのものを含む）への記録すると共に、記録した映像信号の読み出しを行う。記録媒体としては、ＣＤ、ＤＶＤ，ハードディスク、ビデオテープ等であり、映像信号を記録できるものであれば、何でも良い。記録/読み出し部は、例えば、記録媒体がＤＶＤであれば、光学ピックアップである。デコーダは、ドライブで読み出した映像信号をデコードする。
【００２８】
なお、録画部３が記録媒体に記録された映像信号を映像信号の読み出しを行う構成は、本発明の再生部に相当する。
【００２９】
ＯＳＤ合成部５は、デジタル放送録画装置１の各種設定を表示するための文字図形の映像信号を出力する。ＯＳＤ合成部５は、ＯＳＤ画像メモリを備えており、メイン制御部７（ＤＶＤ再生時）、チューナ制御部２６（放送受信時）から与えられる制御信号に基づいて、このＯＳＤ画像メモリが記憶している文字又は図形の映像信号を生成し、出力する。また、ＴＶデコーダ２５またはデコーダ３３から映像信号が出力されている場合には、ＯＳＤ合成部５は、この映像信号を合成する。
例えば、ＯＳＤ合成部５は、ＤＶＤを再生しているときは、ＤＶＤ再生の情報を表す映像信号を生成する。また、チューナ部２で放送を受信して表示しているときは、チャンネル情報を表す映像信号を生成する。また、初期設定機能７１が動作しているときは、その設定項目を表す映像信号を生成する。
【００３０】
Ｄ／Ａ変換部６１は、ＯＳＤ合成部５から出力した映像信号をアナログの映像信号に変換し、外部の表示器１０２（テレビジョン受像機受像機等）に出力する。Ｄ／Ａ変換部６２は、ＴＶデコーダ２５またはデコーダ３３から出力された音声信号をアナログの音声信号に変換し、スピーカ１０３に出力する。
【００３１】
メイン制御部７は、マイコンで構成し、ＭＰＵ、メイン制御部７内のサブプログラムを格納するＲＯＭ（不図示）、メイン制御部７の計算結果を一時的に記憶するＲＡＭ（不図示）を備え、デジタル放送録画装置１内の各部を制御する。例えば、チューナ２１内のバッファＲＡＭへの記録、読み出しタイミングや、ＴＶデコーダ２５またはデコーダ３３からのＯＳＤ合成部５への入力の切り換え、記録部３２への記録タイミングなどを制御する。また、メイン制御部７は、初期設定機能７１、図示しない録画予約機能を実行するための各プログラムを上記ＲＯＭ内に格納している。
【００３２】
メイン制御部７は、初期設定機能７１を用いて、デジタル放送録画装置１本体の各部の設定を受け付ける。メイン制御部７は、初期設定機能７１で設定された設定を基に各部を動作する。例えば、画面表示のアスペクト比設定、ＯＳＤ表示時の言語設定、オートクロックの設定を受け付ける。
【００３３】
操作部８は、デジタル放送録画装置１に取り付けた操作子や、リモコンおよびリモコンからの赤外信号を受け付けるリモコン受光部で構成する。操作部８は、メイン制御部７を操作するための制御入力を受け付ける。デジタル放送録画装置１またはリモコンの操作子が押下げられると、所定の制御入力がメイン制御部７に入力される。
【００３４】
なお、この実施形態ではＤ／Ａ変換部６１、６２を設けているが、外部にデジタル信号対応の表示器１０２を接続する場合は、Ｄ／Ａ変換部６１、６２を設ける必要はない。また、この実施形態では、アンテナ１０１から受信しているが、ケーブルテレビ送信網を通じて受信するものでも良い。
【００３５】
図２を用いて、メイン制御部７が初期設定機能７１を用いて、デジタル放送録画装置１の本体の初期設定を行う場合の設定項目の例を示す。メイン制御部７は、初期設定機能７１を動作させると、図２に示すような設定項目と、その設定項目の現在の設定の情報をＯＳＤ合成部５へ出力する。ＯＳＤ合成部５は、図２に示すような画像を出力する。図２に示すように、ＴＶアスペクト比、ＯＳＤ言語設定などの表示を行う。ＴＶアスペクト比の設定では、４：３のアスペクト比の表示器１０２に１６：９の表示をするよう、画面の上下を黒く塗りつぶした画像を出力する設定（以下「レターボックス表示の設定」という。）のオン/オフの設定を受け付ける。ＯＳＤ言語設定では、ＯＳＤ表示する場合の言語設定を行う。本実施形態の表示例を表す図２は、従来形態の表示例を表す図６の表示例と異なり、ＤＶＤとチューナの設定を共用している。これにより、ユーザは、わずらわしい操作をしなくても、各設定を行うことができる。
【００３６】
なお、図２で示した例は１例であり、図２に示した設定項目のうちのいずれかのみについて、設定を行っても良いし、図２に示した設定項目以外にも各種の設定を行っても良い。以下の説明も同様である。
【００３７】
次に図３を用いて、メイン制御部７が初期設定機能７１を動作させた場合のフローについて説明する。ＳＴ１で所定のキー操作を操作部８から受けて、図２に示すような初期設定画面を表示する。ＳＴ２で操作部８からキー入力を受け付けて、デジタル放送録画装置１の設定を受け付ける。例えば、操作部８に備えた図示しないリモコンのカーソルキーにより、各項目の選択を受け付け、その項目について設定の選択を受け付ける。この動作は、ＳＴ３で、操作部８から、例えば決定ボタンの押し下げを受けない限り（ＳＴ３のＮＯ）、継続する。決定ボタンの押し下げを受けるなどして初期設定の終了が指示されると（ＳＴ３のＹＥＳ）、ＳＴ４へ移動する。ＳＴ４で、チューナの処理の設定変更がされた場合には（ＳＴ４のＹＥＳ）、ＳＴ５において、ＳＴ２で設定されたデータをチューナ制御部２６へ送信する。ＳＴ４で、チューナの処理の設定変更がされなかった場合には（ＳＴ４のＮＯ））、図３のフローを終了する。
【００３８】
以上の設定により、チューナ部２が映像信号を出力しているときは、チューナ制御部２６は、初期設定機能７１で設定されたチューナ部２に関する設定に基づいて動作する。したがって、これを前提として、ユーザは、わずらわしい操作をしなくても、デジタル放送録画装置１本体の各設定を行うことができる。
【００３９】
次に図４を用いて、初期設定機能７１でＴＶアスペクトが設定された場合に行うデジタル放送録画装置１の動作について説明する。
【００４０】
ＳＴ１１で、ＴＶアスペクトがレターボックス表示に設定された場合には（ＳＴ１１のＹＥＳ）、デジタル放送録画装置１のメイン制御部７、チューナ制御部２６は、その設定に従い、ＳＴ１２以下の動作を行う。ＴＶアスペクトがレターボックス表示でなく、４；３の表示に設定された場合には（ＳＴ１１のＮＯ）、デジタル放送録画装置１のメイン制御部７、チューナ制御部２６は、その設定に従い、ＳＴ１５以下の動作を行う。
【００４１】
ＳＴ１２で、ＤＶＤ再生中には（ＳＴ１２のＹＥＳ）、ＯＳＤ合成部５で選択される映像信号は、ＤＶＤに記録された映像信号である。メイン制御部７は、デコーダ３３に対し、映像信号の出力にレターボックス表示を付加して出力するよう指示する（ＳＴ１３）。他方、ＤＶＤ再生していないとき、即ちチューナから映像信号が出力されるときには（ＳＴ１２のＮＯ）、ＯＳＤ合成部５で選択される映像信号は、チューナから出力される映像信号である。チューナ制御部２６は、デコーダ３３に対し、映像信号の出力にレターボックス表示を付加して出力するよう指示する（ＳＴ１４）。
【００４２】
ＳＴ１５で、ＤＶＤ再生中には（ＳＴ１５のＹＥＳ）、ＯＳＤ合成部５で選択される映像信号は、ＤＶＤに記録された映像信号である。メイン制御部７は、デコーダ３３に対し、映像信号の出力にレターボックス表示を付加せず出力するよう指示する（ＳＴ１６）。他方、ＤＶＤ再生していないとき、即ちチューナから映像信号が出力されるときには（ＳＴ１５のＮＯ）、ＯＳＤ合成部５で選択される映像信号は、チューナから出力される映像信号である。このとき、チューナ制御部２６は、デコーダ３３に対し、映像信号の出力にレターボックス表示を付加しないで出力するよう指示する（ＳＴ１７）。
【００４３】
なお、図４で示した設定項目は、本発明の項目Ｔ１に相当する。
【００４４】
次に図５を用いて、初期設定機能７１でＯＳＤの言語が英語または日本語に設定された場合に行うデジタル放送録画装置１の動作について説明する。この処理では、簡単のため、英語と日本語が設定できるものとする。それ以上の言語設定についても、このフローを基に容易に拡張できる。
【００４５】
ＳＴ２１で、ＯＳＤの言語が英語に設定された場合には（ＳＴ２１のＹＥＳ）、デジタル放送録画装置１のメイン制御部７、チューナ制御部２６は、その設定に従い、ＳＴ２２以下の動作を行う。ＯＳＤの言語が英語でなく、日本語に設定された場合には（ＳＴ２１のＮＯ）、デジタル放送録画装置１のメイン制御部７、チューナ制御部２６は、その設定に従い、ＳＴ２５以下の動作を行う。
【００４６】
ＳＴ２２で、ＤＶＤ再生中には（ＳＴ２２のＹＥＳ）、ＯＳＤ合成部５で選択される映像信号は、ＤＶＤに記録された映像信号である。メイン制御部７は、ＯＳＤ合成部５に対し、英語で表した文字データを出力する（ＳＴ２３）。他方、ＤＶＤ再生していないとき、即ちチューナから映像信号が出力されるときには（ＳＴ２２のＮＯ）、ＯＳＤ合成部５で選択される映像信号は、チューナから出力される映像信号である。チューナ制御部２６は、ＯＳＤ合成部５に対し、日本語で表した文字データを出力する（ＳＴ２４）。
【００４７】
ＳＴ２５で、ＤＶＤ再生中には（ＳＴ２５のＹＥＳ）、ＯＳＤ合成部５で選択される映像信号は、ＤＶＤに記録された映像信号である。メイン制御部７は、ＯＳＤ合成部５に対し、英語で表した文字データを出力する（ＳＴ２６）。他方、ＤＶＤ再生していないとき、即ちチューナから映像信号が出力されるときには（ＳＴ２５のＮＯ）、ＯＳＤ合成部５で選択される映像信号は、チューナから出力される映像信号である。このとき、チューナ制御部２６は、ＯＳＤ合成部５に対し、日本語で表した文字データを出力する（ＳＴ２７）。
【００４８】
なお、図５で示した設定項目は、本発明の項目Ｔ２に相当する。また、図４、図５で示した設定項目であるアスペクト比のレターボックス表示の設定とＯＳＤ表示の言語の設定は、互いに独立に実施できる。本発明を実施する上では、この設定のうちアスペクトを調整するためのレターボックス表示の設定だけを行う場合には、図５で示したＯＳＤ表示の言語を設定する処理は不要である。逆に、この設定のうちＯＳＤ表示の言語の設定だけを行う場合には、図４で示したアスペクト比のレターボックス表示の設定の処理は不要である。
【００４９】
また、以上では、デジタル放送録画装置１として説明したが、必ずしも、録画部３がなくても、本発明を実施することは可能である。例えば、初期設定機能７１の設定項目であるアスペクトを調整するためのレターボックス表示の設定とＯＳＤ表示の言語の設定については、映像信号の出力に関するものであり、映像信号を記録する構成はなくても良い。また、チューナ部２が受信する放送は、必ずしもデジタル放送でなくてもよく、また、チューナ部２は、ＴＳでなくＰＳ（Program Stream）を受信するものでもよい。
【００５０】
また、図４、図５では、ＤＶＤの再生を例にとって説明したが、読み出した映像信号を再生することができる記録媒体であれば、どのような記録媒体でも、本発明の実施形態として利用できる。
初期設定機能７１は、本発明の設定受付手段に相当する。なお、初期設定機能７１は、デジタル放送録画装置１をセットしたときのみならず、その後デジタル放送録画装置１の設定を変更する場合にも用いる。
さらに、図４で示したレターボックス表示の設定は、１６：９としたがこの比率に限らず、レターボックス表示するのであれば、本発明の実施形態とすることができる。また、上下にレターボックス表示するだけでなく、左右に黒く塗りつぶしたレターボックス表示（ピラーボックス表示（Pillar box））するものであっても良い。
【００５１】
なお、以上で説明した初期設定機能７１による設定項目の共通化は、チューナによる放送の受信と、録画部３によるコンテンツの再生とを択一的に表示するものでなくてもよく、親子２画面表示や、複数のウインドウを重ねて表示する場合に適用してもよい。
【図面の簡単な説明】
【００５２】
【図１】本実施形態のＤＶＤレコーダの構成図
【図２】本実施形態の初期設定画面の表示例
【図３】制御部が初期設定機能を動作させた場合のフロー図
【図４】本実施形態のデジタル放送録画装置にレターボックス表示の設定がされた場合のデジタル放送録画装置の処理を表すフロー図
【図５】本実施形態のデジタル放送録画装置にＯＳＤの言語の設定がされた場合のデジタル放送録画装置の処理を表すフロー図
【図６】従来形態の初期設定画面の表示例
【符号の説明】
【００５３】
１−デジタル放送録画装置、  ２−チューナ部、
２１−チューナパック、  ２２−地上デジタルモジュール、
２５−ＴＶデコーダ、  ２６−チューナ制御部、
３−録画部、  ３１−エンコーダ、  ３２−記録/読み出し部、
３３−デコーダ、  ５−ＯＳＤ合成部、
６１−Ｄ／Ａ変換器、  ６２−Ｄ／Ａ変換器、
７−メイン制御部、７１−初期設定機能、
８−操作部、  １０１−アンテナ、  １０２−表示器
【図１】
2008182632.tif 000003
【図２】
2008182632.tif 000004
【図３】
2008182632.tif 000005
【図４】
2008182632.tif 000006
【図５】
2008182632.tif 000007
【図６】
2008182632.tif 000008